(57)【要約】      （修正有）【課題】バックボードに傷病者を固定した状態で乗せて搬送する際に、バックボードと傷病者との間に配置して、傷病者のバックボードへの固定により発生する血流の阻害や褥瘡発生を防止すると共に、傷病者のバックボードへの固定により発生する苦痛を緩和することができる救急補助器具を提供する。【解決手段】傷病者を救急搬送するバックボードに着脱可能に取り付けられ、傷病者が横たわることができると共にバックボードへ傷病者を固定しうる薄型板状のマット部材からなる。【選択図】図１
0003149838.tif 000002
【実用新案登録請求の範囲】
【請求項１】
傷病者を救急搬送するバックボードに着脱可能に取り付けられ、傷病者が横たわることができると共にバックボードへ傷病者を固定しうる薄型板状のマット部材からなることを特徴とする救急補助器具。
【請求項２】
上記マット部材は、頭部、肩部、腰部及び脚部の踵部を含め、傷病者の身体全体をバックボードに対して被覆しうるように構成され、身体対応部と、上記身体部対応部の長さ方向端部に連設された頭部対応部とにより形成されていることを特徴とする請求項１記載の救急補助器具。
【請求項３】
上記マット部材は、傷病者が固定手段によりバックボードに対して固定された場合に傷病者に対して作用する圧力を吸収して分散させうる硬さ及び厚さ寸法に形成されていることを特徴とする請求項１記載の救急補助具。
【請求項４】
上記マット部材は、バックボードの周縁部に形成された搬送用孔部に干渉しない幅寸法に形成されていることを特徴とする請求項１記載の救急補助具。
【請求項５】
上記身体部対応部は、上記バックボードの輪郭形状に沿った輪郭形状に形成され、長さ方向に沿ってバックボードへの固定部材が複数個所に設けられていることを特徴とする請求項１記載の救急補助具。
【考案の詳細な説明】
【技術分野】
【０００１】
本考案は救急補助具に係り、特に、救急時に傷病者を搬送するバックボード上に敷設され、傷病者が固定された状態で横たわることができる救急補助具に関する。
【背景技術】
【０００２】
交通事故等の所定規模の事故の場合には、重症患者は脊髄損傷を受傷する場合が多く、脊髄損傷から多くの合併症を引き起こす可能性や、生命に直接の影響がある危機的な状況に陥る可能性もあることから、病院前救護の観点から脊髄の動揺を最小限に抑え、損傷の悪化を防止する必要がある。
【０００３】
従って、従来より、事故等の救急医療の現場においては、傷病者を病院へ搬送する際にバックボードが使用されている。
この種のバックボードは所定の強度を有する硬質の合成樹脂製であり、傷病者を上記バックボード上に寝かせ、ベルト等で傷病者をバックボードに固定して病院へ搬送するようにしている。救急医療の現場においては、特に、傷病者が重度外傷の場合には、上記の観点からバックボード上において全脊柱固定処置を施して搬送するように指導されてきている。
【０００４】
しかしながら、このように傷病者をバックボード上へ固定して搬送した場合には、損傷の悪化は防止されるが、一方で、傷病者は硬いバックボードに固定されることにより体表面に高い圧力が加わり、疼痛が発生すると共に、血流の阻害や褥瘡発生の危険性がある。
【０００５】
また、傷病者にとっては、硬いバックボード上に所定時間固定されること自体が、事故による怪我の痛みに加えて苦痛である、という問題点があった。
【考案の開示】
【考案が解決しようとする課題】
【０００６】
そこで本願考案は、バックボードに傷病者を固定した上体で乗せて搬送する際に、バックボードと傷病者との間に配置して、傷病者のバックボードへの固定により発生する血流の阻害や褥瘡発生を防止すると共に、傷病者のバックボードへの固定により発生する苦痛を緩和することができる救急補助器具を提供することにある。
【課題を解決するための手段】
【０００７】
上記課題解決のため、請求項１記載の考案に係る救急補助具は、傷病者を救急搬送するバックボードに着脱可能に取り付けられ、傷病者が横たわることができると共にバックボードへ傷病者を固定しうる薄型板状のマット部材からなることを特徴とする。
【０００８】
従って、請求項１記載の考案にあっては、上記薄型板状のマット部材からなる救急補助具上に傷病者が横たわりバックボードに固定された状態で病院へ搬送される。
【０００９】
請求項２記載の考案にあっては、上記マット部材は、頭部、肩部、腰部及び脚部の踵部を含め、傷病者の身体全体をバックボードに対して被覆しうるように構成され、身体部対応部と、上記身体部対応部の長さ方向端部に連設された頭部対応部とにより形成されていることを特徴とする。
【００１０】
従って、請求項２記載の考案にあっては、傷病者の身体は上記マット部材からなる救急補助具上からはみ出すことなく横たわることができる。
請求項３記載の考案にあっては、上記マット部材は、傷病者が固定手段によりバックボードに対して固定された場合に傷病者に対して作用する圧力を吸収して分散させうる硬さ及び厚さ寸法に形成されていることを特徴とする。
【００１１】
請求項４記載の考案にあっては、上記マット部材は、バックボードの周縁部に形成された搬送用の孔部に干渉しない幅寸法に形成されていることを特徴とする。
従って、バックボードでの傷病者の搬送作業そのものに何ら干渉することはない。
【００１２】
請求項５記載の考案にあっては、上記身体部対応部は、上記バックボードの輪郭形状に沿った輪郭形状に形成され、長さ方向に沿ってバックボードへの固定部材が複数個所に設けられていることを特徴とする。
【考案の効果】
【００１３】
請求項１乃至５記載の考案にあっては、傷病者が事故現場等において救急隊員により救助されバックボードに固定されて病院へ搬送される場合に、マット部材からなる救急補助具を介してバックボードに固定されることから、傷病者がバックボードに対して固定された場合であっても、固定圧力はマット部材により吸収、分散され、所定時間固定された場合であっても、血流の阻害の発生や褥瘡発生の危険性を低減できると共に、固定されることにより疼痛が発生する、という事態を回避することができる。
また、請求項１乃至５記載の考案に係る救急補助具にあっては、薄型板状に形成されていることから、傷病者をバックボードへ乗せる際に、妨げとなることはなく、救急隊員等は傷病者の迅速かつ容易な搬送が可能となる。
【００１４】
また、請求項２記載の考案にあっては、特に、頭部を含め、踵に至るまで全身をバックボードに対して被覆し保護することができることから、傷病者の身体全域において血流の阻害の発生や褥瘡発生の危険性を低減できると共に、固定されることにより疼痛が発生する、という事態を回避することができる。
【００１５】
請求項３記載の考案にあっては、上記マット部材は、傷病者が固定手段によりバックボードに対して固定された場合に傷病者に対して作用する圧力を吸収して分散させうる硬さ及び厚さ寸法に形成されていることから、バックボードへ傷病者を固定した場合であっても、固定手段による圧力を有効に分散し、傷病者への固定による苦痛を軽減することができる。
【００１６】
請求項４記載の考案にあっては、特に、記マット部材は、バックボードの周縁部に形成された搬送用の孔部に干渉しない幅寸法に形成されていることから、バックボードに救急補助具を取り付けた場合であっても、傷病者を搬送するにあたり、何ら、搬送の妨げとはならず、迅速かつ容易な搬送が可能となる。
【００１７】
請求項５記載の考案にあっては、上記身体部対応部は、上記バックボードの輪郭形状に沿った輪郭形状に形成され、長さ方向に沿ってバックボードへの固定部材が複数個所に設けられていると共に、上記頭部対応部にもバックボードへの固定部材が設けられていることから、本考案に係る救急補助具をバックボードに対して確実に固定することができるため、傷病者の搬送時に本考案に係るマット部材が搬送時の振動や、傷病者の体重によってズレるという事態を防止でき、バックボードへの固定が解除されてしまい、「全脊柱固定」の理念に反する事態を引き起こすこともない。
【考案を実施するための最良の形態】
【００１８】
図１に示すように、本実施の形態に係る救急補助具１０は、傷病者を救急搬送するバックボード１１に着脱可能に取り付けられ、傷病者が横たわることができると共にバックボード１１へ傷病者を固定しうる薄型板状のマット状部材１２からなる。
【００１９】
本実施の形態に係る救急補助具１０は、頭部、肩部、腰部及び脚部の踵部を含め、傷病者の身体全体をバックボード１１に対して被覆しうるように構成され、身体部対応部１３と、上記身体部対応部１３の長さ方向端部に連設され、傷病者の頭部を載置しうる頭部対応部１４とにより形成されている。
【００２０】
本実施の形態において使用されるバックボード１１は、硬質な合成樹脂製であって、全体略長方形状に形成され、長さ寸法は１８５０ｍｍ、幅寸法は最大４００ｍｍ、であって、後端部１８は略台形状に形成されている。長さ方向に沿って幅方向両端部には、夫々、７個の把持用孔部１５ａ，１５ｂ，１５ｃ，１５ｄ，１５ｅ，１５ｆ，１５ｇが開設されていると共に、先端部１９には幅方向に沿って２個の把持用孔部（図示せず）が開設されている。
【００２１】
上記把持用孔部１５は、長さ寸法が１３０ｍｍ、幅寸法は３５ｍｍであって、バックボード１１の後端部２０側から３個目以降の孔部１５ｃ，１５ｄ， １５ｅ，１５ｆ，１５ｇの内部には傷病者を固定するためのベルトを係合するためのピン１７が設けられている。
【００２２】
また、先端部１９側には、ヘッドイモビライザーと呼ばれるパッド２１が装着され、傷病者の頭部を固定しうるようにされている。
上記本実施の形態に係る救急補助具１０は、上記使用されるバックボード１１の輪郭形状と略同一に、全体略長方形の細長板状に形成され、後端部２０は略台形状に形成されている。上記身体部対応部１３は、上記バックボード１１の輪郭形状に沿った輪郭形状に形成され、長方形板状部１３ａと、長方形板状部１３ａの後端部に形成された台形状部１３ｂとからなる。
【００２３】
上記救急補助具１０の長さ寸法は１４５０ｍｍであって、バックボード１１の長さ寸法よりも僅かに短く形成されている。また、救急補助具１０の幅寸法は、３００ｍｍであって、バックボード１１の周縁部に形成された上記把持用孔部１５のうち、幅方向において対応する一対の把持用孔部１５，１５の間隔寸法と略同一の幅寸法に形成されている。
【００２４】
上記頭部対応部１４は、上記身体部対応部１３の幅寸法の略半分の幅寸法（１５０ｍｍ）及び２５０ｍｍの長さ寸法に形成され、上記身体対応部１３に２本の接合紐２２，２２により接合され、バックボード１１上において傷病者の頭部を支持しうるように構成されている。
【００２５】
また、図示されないが、上記頭部対応部１４の裏面側には両面ファスナーのオス側（図示せず）が貼付されると共に、バックボード１１の上記パッド２１には両面ファスナーのメス側が貼付され、これらの両面ファスナーを係合させることにより、頭部対応部１４をバックボード１１の上記パッド２１に固定しうるように形成されている。
【００２６】
また、身体部対応部１３には、長さ方向に沿ってバックボード１１への固定ベルト１６が複数個所に設けられている。上記固定ベルト１６は、右側方には３本、左側方には４本取り付けられており、上記固定ベルト１６ａ，１６ｂ，１６ｃ，１６ｄは上記長方形板状部１３ａの長さ方向に沿って略等間隔に取り付けられている。
【００２７】
上記固定用ベルト１６ａ，１６ｂ，１６ｃ，１６ｄは、上記バックボード１１上に本実施の形態に係る救急補助具１０を載置した場合に、上記固定用ベルト１６ａ，１６ｂ，１６ｃ，１６ｄが長さ方向に沿って開設された上記把持用孔部１５に夫々対応する部位に取り付けられている。
上記固定用ベルト１６ａ，１６ｂ，１６ｃ，１６ｄは、夫々、幅方向において対応する一対の固定用ベルト１６ｂ，１６ｂ´，１６ｃ，１６ｃ´，１６ｄ，１６ｄ´を有し、一対の固定用ベルトには、に面ファスナー部材のオス部とメス部（図示せず）が取り付けられている。
また、固定用ベルト１６ｂと１６ｃとの間、固定用ベルト１６ｂ´と１６ｃ´との間、１６Ｃ´と１６ｄ´との間、１６ｃと１６ｄとの間には、固定時に上記固定用ベルト１６ｂ，１６ｂ´，１６ｃ，１６ｃ´，１６ｄ，１６ｄ´が係合しうるリング部材２５ｂ，２５ｃ，２５ｄ、２５ｅ，２５ｆ，２５ｇが固定されている。
【００２８】
従って、バックボード１１上に救急補助具１０を取り付ける場合には、図２に示すように、上記固定用ベルト１６ｂ，１６ｃ，１６ｄを、上記バックボード１１の幅方向において夫々対応する把持用孔部１５ｂ，１５ｄ，１５ｆに挿通させてバックボード１１の裏面側において、夫々、長さ方向に配置された係合用リング部材２５ｂ、２５ｃ，２５ｄ，２５ｅ，２５ｆ，２５ｇに係合して固定させる。
【００２９】
また、身体対応部１３の裏面側には、バックボード１１に固定された場合にずれることがないように、４枚の滑り止めシート２４が、長さ方向に沿って４箇所に亘って貼付されている。
また、本実施の形態に係る救急補助具１０は、傷病者が固定手段によりバックボード１１に対して固定された場合に傷病者に対して作用する圧力を吸収して分散させうる硬さ及び厚さ寸法（２５ｍｍ）に形成されている。
【００３０】
本実施の形態にあっては、マット部材１２は内部素材が高反発素材であって、東洋紡績株式会社が製造する「ブレスエアー」（登録商標）を使用している。即ち、この内部素材は、熱可塑性ポリエステルエラストマーの３次元スプリング構造体からなる。
その結果、傷病者がバックボード１１へ固定ベルト（図示せず）により固定された場合であっても、充分に傷病者の体重及び固定圧力を吸収すると共に分散させうるようにし、傷病者に固定による疼痛を低減しうるように構成されている。
また、上記「ブレスエアー」が使用されていることから、救急補助具１０全体が軽量であり、病院への傷病者の搬送作業そのものが重労働であることを考慮した場合、救急搬送作業者によっては非常に扱いやすいこととなる。
さらに、充分な反復使用に耐えうる強度を有しており、多数回の使用に耐えうるように構成されている。
【００３１】
また、マット部材の外部素材は、傷病者からの血液、汚れ等を容易に払拭し、消毒を行うことができると共に、反復使用に耐えうるような強度を保持する必要があるという観点から「ボンガード（登録商標）カラーターポリン：ボンガード３５」が使用されている。
【００３２】
以下、本実施の形態に係る救急補助具１０の使用の方法について説明する。
事故現場等において、傷病者を搬送する場合には、本実施の形態において使用される救急補助具１０をバックボード１１上に載置し、上記固定用ベルト１６ａ，１６ｂ，１６ｃ，１６ｄを夫々、対応する把持用孔部に挿通させて、上記のようにファスナー部材により、互いにバックボード１１の幅方向において対応する固定用ベルト１６，１６を接合してバックボード１１に固定する。
【００３３】
また、上記頭部対応部１４に関しては、頭部対応部１４の裏面側に配置された両面ファスナーをバックボードのパッド２１上に配置された両面ファスナーに係合させてバックボード１１へ固定する。
その後、救急補助具１０上に傷病者を寝かせ、適宜、固定ベルトにより傷病者をバックボード１１へ固定する。
【００３４】
この場合、本実施の形態に係る救急補助具１０にあっては、上記のように、内部素材が、熱可塑性ポリエステルエラストマーの３次元スプリング構造体からなマット部材１２により構成されていることから、傷病者がベルトにより固定されバックボード１１に押し付けられた場合であっても、充分に傷病者の体重及び固定圧力を分散吸収し、傷病者に固定による疼痛を低減することができる。
【００３５】
従って、従来におけるように、傷病者を直接にバックボード１１に寝かせてベルトにより固定した場合とは異なり、傷病者のバックボードへの固定により発生する血流の阻害や褥瘡発生を防止すると共に、傷病者のバックボードへの固定により発生する苦痛を緩和することができる。
【００３６】
また、本救急補助具１０は、頭部対応部１４と身体対応部１３とを備えていることから、傷病者がバックボード１１へベルトにより固定された場合に、特に高い圧力が作用すると推測される部位である、後頭部、肩甲部、仙骨部、踵部全てをバックボード１１に対して被覆することができることから、有効に傷病者を保護することができる。
さらに、本実施の形態に係る救急補助具１０にあっては、バックボード１に対して着脱自在に構成されていることから、使用する必要がない場合には、救急車両内に、容易に折り畳んでコンパクトに収納することができ、収納性に富んでいる。
また、必要時には、固定用ベルト１６により簡単にバックボード１１へ固定することができるため、救急の際に、迅速に傷病者の搬送態勢を整えることができる。
【００３７】
上記バックボード１１の具体的形状及び構成に関しては、上記実施の形態には限定されず、上記実施の形態のバックボード以外の形状であっても、本考案に係る救急補助具を適用することができる。
【００３８】
また、本実施の形態にあっては、上記バックボード１１の具体的形状に合致させて構成した形状のマット部材１２からなる場合を例に説明したが、上記実施の形態に限定されず、バックボードの具体的形状に合わせて適宜構成することができる。
【産業上の利用可能性】
【００３９】
本考案は、広く、救急搬送用に使用されるバックボードに適用することができる。
【図面の簡単な説明】
【００４０】
【図１】本考案に係る救急補助具の一実施の形態を示し、バックボードに固定される以前の状態を示す平面図である。
【図２】本考案に係る救急補助具の一実施の形態を示し、バックボード上に載置固定し、傷病者を搬送可能な状態を示す平面図である。
【符号の説明】
【００４１】
１０  救急補助具  
１１  バックボード
１２  マット部材
１３  胴部脚部対応部
１４  頭部対応部
１５  把持用孔部
１６  固定ベルト
１７  ピン
１８  後端部
１９  先端部
２０  後端部
２１  パッド
２２  接合紐
２３  固定用リング
２４  滑り止めボード
２５  係合用リング部材
【図１】
0003149838.tif 000003
【図２】
0003149838.tif 000004